(57)【要約】【課題】設置終了時の診断運転の実施忘れを確実に防止する事ができる空気調和機を提供する。【解決手段】通常運転モードと診断運転モードとを切り換えるモード設定切換ＳＷ４４と、前記診断運転モードで運転した時の診断運転結果を記憶する記憶手段４２とを備え、少なくとも初回の通常運転モードでの運転を開始する際に、前記憶手段４２に記憶された診断運転結果に応じた運転動作を行うようにして、設置終了時の通常運転モードでの運転開始時に、診断運転が実施されたかどうか確認した上で運転をおこなう。【選択図】図２
2005049001.tif 000002
【特許請求の範囲】
【請求項１】
室外熱交換器と送風機を有する室外ユニットと、室内熱交換器と送風機を有するとともに前記室外ユニットに接続される室内ユニットと、通常運転モードと診断運転モードとを切り換えるモード切換手段と、前記診断運転モードで運転した時の診断運転結果を記憶する記憶手段とを備え、少なくとも初回の通常運転モードでの運転を開始する際に、前記記憶手段に記憶された診断運転結果に応じた運転動作を行うことを特徴とする空気調和機。
【請求項２】
診断運転モードでの運転で、室外ユニットと室内ユニットとの電気配線又は冷媒回路或いはその両方の接続状況を診断することを特徴とする請求項１記載の空気調和機。
【請求項３】
通常運転モードで運転する時に、記憶手段に記憶された診断運転結果に問題が無い場合は通常運転を開始し、問題がある場合は運転を開始しないことを特徴とする請求項１または２記載の空気調和機。
【請求項４】
記憶手段に記憶された診断運転結果を表示する表示部を少なくとも室外ユニットと室内ユニットのいずれか一方に設けた請求項１〜３のいずれか１項記載の空気調和機。
【請求項５】
通常運転モードで運転する時に、記憶手段に記憶された診断運転結果に問題が無い場合は運転を開始し、問題がある場合は運転を開始するとともに、前記診断運転結果を表示部に表示する請求項４記載の空気調和機。
【請求項６】
診断運転終了後に、モード切換手段を操作して通常運転モードに切り換え、再度切換手段を操作して診断運転モードに切り換えた時に記憶手段に記憶されている診断運転結果を消去することを特徴とする請求項１〜５のいずれか１項記載の空気調和機。
【請求項７】
室外ユニットまたは室内ユニットのいずれかにポンプダウン設定手段を設け、前記ポンプダウン設定手段を操作することにより、ポンプダウン運転を開始するとともに記憶手段に記憶された診断運転結果を消去することを特徴とする請求項１〜６のいずれか１項記載の空気調和機。
【発明の詳細な説明】
【技術分野】
【０００１】
本発明は空気調和機に関するものである。さらに詳しくは設置工事が正常に終了したかどうかを検査する診断運転の実施忘れを防止する運転制御に関するものである。
【背景技術】
【０００２】
近年、一般家庭での空気調和機の普及とともに、快適性を求めて同一の家庭に空気調和機を複数台設置されることが多くなってきた。室内ユニットと室外ユニットとが対のシングルエアコンを各部屋にそれぞれ設置する場合もあるが、新築・改築時などでは１台の室外ユニットに複数の室内ユニットを接続して構成される多室空気調和機、いわゆるマルチエアコンがエクステリア性やコストメリットからも選ばれることも多い。
【０００３】
マルチエアコンの据え付け工事時には、１台の室外ユニットに対して複数の室内ユニットを接続するため、各室内ユニットからの配線と配管とを室外ユニットの対応する室内ユニット用の接続部に接続する際、誤って他の室内ユニット用の接続部に接続してしまう場合がある。例えば室内ユニットＡの配管と配線とを室外ユニットに接続する場合に、配管は室外ユニットの室内ユニットＡ用に接続したが配線は室外ユニットの室内ユニットＢ用に接続した場合に、室内ユニットＡを運転すると送風機が停止している室内ユニットＢ用の配管に冷媒が流れることにより、室内ユニットＢの室内熱交換器が凍結を生じ、悪くすると室内ユニットＢから水漏れを生じさせるなどの不具合がある。
【０００４】
このように分離型空気調和機、特に多室の分離型空気調和機の場合には工場出荷時点ではまだ半完成品であり、設置工事終了時に不具合が一切無く、設置状態が正常であることを検査・確認して初めて完成品になるとも言える。よって設置工事終了時の種々の診断運転が重要な役割を果たすことになる。
【０００５】
診断運転には様々な方法があるが、マルチエアコンの誤配線・誤配管等の不具合を検査する従来の診断運転の一例として、図４に示されるようなものがある。
【０００６】
図において、１０１は室外機、１０５は室内機Ａ、１１０は室内機Ｂである。室外機１０１と室内機Ａ１０５、室内機Ｂ１１０は、それぞれ通信線１０３、１０８、冷媒回路１０６、１１１とで接続されている。１０２、１０４は室内機Ａ１０５、室内機Ｂ１１０に内蔵され、冷媒温度を検出する温度検知手段である。
【０００７】
上記構成により室外機１０１側で室内機Ａ１０５、室内機Ｂ１１０を順番に運転させ、また室外ユニット１０１から、室内機Ａ１０５、室内機Ｂ１１０に順番に冷媒を流し、各室内機の冷媒温度の変化を温度検知手段１０２、１０４で監視することにより誤配線と誤配管とを検出するものであった（例えば、特許文献１参照）。
【特許文献１】特開平０５−２８８３９４号公報
【発明の開示】
【発明が解決しようとする課題】
【０００８】
上記従来の構成では、診断運転を確実に実施すれば、確かに意図するように誤配線と誤配管とが検査でき、必要に応じその場で不具合部分を修正することが可能である。しかしながら、このような診断運転を忘れた場合は、折角の診断運転機能を生かせず、不具合なところも発見できない。
【０００９】
一方設置時には、例え診断運転を忘れても、通常の試運転は必ず実施するので、その際に前述の不具合な所が発見できれば良いが、前述のように室内ユニットＡ１０５と室内ユニットＢ１１０との配線が間違っていても、通常運転モードで全室を同時に運転しただけでは誤配線であることが解らず、そのまま需要家に引き渡してしまうことになる。需要家においても同時運転した場合には不具合が出ず、後日一台毎とに運転した場合に初めて不具合を発見することとなり、後日準備を整えて再検査し、接続、配線等のし直しをしなければならず、ロスが多く、また需要家に多大な被害を生じさせることになる。
【００１０】
そこで、本発明は従来の課題を解決するもので、設置終了時の診断運転の実施忘れを確実に防止する事ができる空気調和機を提供することを目的とするものである。
【課題を解決するための手段】
【００１１】
上記課題を解決するために、本発明の空気調和機は、通常運転モードと診断運転モードとを切り換えるモード切換手段と、前記診断運転モードで運転した時の診断運転結果を記憶する記憶手段とを備え、少なくとも初回の通常運転モードでの運転を開始する際に、前記記憶手段に記憶された診断運転結果に応じた運転動作を行うようにしたもので、設置終了時の通常運転モードでの運転開始時に、予め診断運転が実施されたかどうか、また、その結果がどうであったかを確認した上で、運転動作が行われるので、診断運転が必ず実施され、不具合を事前に確認することができる。
【発明の効果】
【００１２】
以上のように、本発明によれば、空気調和機の新規の設置時あるいは、室内・外ユニットの追加、移設、変更等の時の、誤配線、誤接続を確認するための診断運転が必ず行われるとともに、万一不具合があっても、対応、処置が容易な空気調和機を提供する事ができる。
【発明を実施するための最良の形態】
【００１３】
請求項１記載の発明は、室外熱交換器と送風機を有する室外ユニットと、室内熱交換器と送風機を有するとともに前記室外ユニットに接続される室内ユニットと、通常運転モードと診断運転モードとを切り換えるモード切換手段と、前記診断運転モードで運転した時の診断運転結果を記憶する記憶手段とを備え、少なくとも初回の通常運転モードでの運転を開始する際に、前記記憶手段に記憶された診断運転結果に応じた運転動作を行うようにしたもので、設置終了時の通常運転モードでの運転開始時に、予め診断運転が実施されたかどうか、また、その結果がどうであったかを確認した上で、運転動作が行われるので、診断運転が必ず実施され、不具合を事前に確認することができる。
【００１４】
請求項２記載の発明は、診断運転モードでの運転で、室外ユニットと室内ユニットとの電気配線又は冷媒回路或いはその両方の接続状況を診断するようにしたもので、仮に誤配線、誤接続があっても、それが空気調和機の最初の設置時に発見できるので、対応、処置が容易である。
【００１５】
請求項３記載の発明は、通常運転モードで運転する時に、記憶手段に記憶された診断運転結果に問題が無い場合は通常運転を開始し、問題がある場合は運転を開始しないようにしたもので、不具合が生じている場合に運転が開始しないので、現象的にすぐ異常が明らかになり、診断運転の実施や不具合の修正忘れを確実に防止することができる。
【００１６】
請求項４記載の発明は、記憶手段に記憶された診断運転結果を表示する表示部を少なくとも室外ユニットと室内ユニットのいずれか一方に設けたもので、不具合があった場合、表示部にその内容が表示されるので、不具合箇所がすぐ分かり，さらに処置、対応を速やかに行うことができる。
【００１７】
請求項５記載の発明は、通常運転モードで運転する時に、記憶手段に記憶された診断運転結果に問題が無い場合は運転を開始し、問題がある場合は運転を開始するとともに、前記診断運転結果を表示部に表示するもので、不具合が生じていることが見た目で明らかでかつ、不具合の修正忘れを確実に防止することができる。
【００１８】
請求項６記載の発明は、診断運転終了後に、モード切換手段を操作して通常運転モードに切り換え、再度切換手段を操作して診断運転モードに切り換えた時に記憶手段に記憶されている診断運転結果を消去するもので、マルチシステムを初めて設置し診断運転を終了していた状態から室内ユニットの追加・入れ替えや移設などにより配線や配管の接続状態を変更した場合に、記憶手段に記憶されていた最初の設置時の診断運転結果が消去されるので、記憶手段が初期状態に戻り、システムの変更後にも再度診断運転を実施することができる。
【００１９】
請求項７記載の発明は、室外ユニットまたは室内ユニットのいずれかにポンプダウン設定手段を設け、前記ポンプダウン設定手段を操作することにより、ポンプダウン運転を開始するとともに記憶手段に記憶された診断運転結果を消去するもので、室内ユニットの追加、入れ替えや移設などに必ず使用されるポンプダウン設定手段の操作と、記憶手段内の初回若しくは前回の記憶内容の消去とが連動するので、システムの変更後に再度診断運転を確実に実施することができる。
【実施例１】
【００２０】
（実施例１）
以下、図１〜図３を用いて、本発明の第１の実施例を説明する。第１図は、多室型の空気調和機の冷凍サイクル図、図２は、同空気調和機の制御回路の構成を示す機能ブロック図、図３は、同制御回路の作用を説明するためのフローチャートである。
【００２１】
図１において、室外ユニット２１に、室内ユニットＡ２２、室内ユニットＢ２３、室内ユニットＣ２４、室内ユニットＤ２５が接続され、これらの各ユニットに以下の冷凍サイクルが構成されている。
【００２２】
圧縮機１１の吐出口に四方弁１２を介して室外熱交換器１３を接続し、その室外熱交換器１３に液側主管１４を接続する。この液側主管１４には冷凍サイクル全体の加熱度制御を行うための主電動膨張弁１５を設ける。主電動膨張弁１５を出た後、液側主管１４は液側支管１４ａ、１４ｂ、１４ｃ、１４ｄに分岐し、それぞれが各室内ユニットＡ〜Ｄ（２２〜２５）の室内熱交換器３０ａ、３０ｂ、３０ｃ、３０ｄに接続される。
【００２３】
各液側支管１４ａ、１４ｂ、１４ｃ、１４ｄには各室内ユニットＡ〜Ｄ（２２〜２５）に流れる冷媒量を調整する膨張弁１６が設けられている。各室内ユニットＡ〜Ｄ（２２〜２５）の室内熱交換器３０ａ、３０ｂ、３０ｃ、３０ｄにガス側支管１７ａ、１７ｂ、１７ｃ、１７ｄを接続する。
【００２４】
ガス側支管１７ａ、１７ｂ、１７ｃ、１７ｄは室外ユニット２１内部にてガス側主管１７に集結しており、そのガス側主管１７は前記四方弁１２およびアキュームレータ１８を介して前記圧縮機１１の吸入口に接続される。
【００２５】
このようにしてヒートポンプ式冷凍サイクルを構成している。冷房運転時には図示実線矢印の方向に冷媒を流して冷房サイクルを構成し、暖房時には四方弁の切り換えにより図示破線矢印の方向に冷媒を流して暖房サイクルを構成する。
【００２６】
上記各室内ユニットＡ〜Ｄ（２２〜２５）には室内の空気温度を検知する吸込温度センサー３１を、また各室内熱交換器３０ａ、３０ｂ、３０ｃ、３０ｄにはその内部を流れる冷媒の温度を検知する配管温度センサー３２が設けられている。またそれぞれの室内熱交換器３０ａ、３０ｂ、３０ｃ、３０ｄの近傍には、室内ファン３３とそれを駆動する室内ファンモータ５２からなる送風機が、室外熱交換器１３の近傍には，送風機として室外ファン２０がそれぞれ設けられている。
【００２７】
次に制御回路を図２を用いて説明する。
【００２８】
室外ユニット２１には、マイクロコンピュータおよびその周辺回路からなる室外制御部４０を備えている。この室外制御部４０にインバータ回路４１、記憶手段４２、表示手段である表示部４３、診断運転モードと通常運転モードとを切り換えるモード切換手段であるモード設定切換ＳＷ４４、およびポンプダウンＳＷ４５を接続する。なお室外制御部４０は各室内ユニットＡ〜Ｄ（２２〜２５）内の各室内制御部５０との接続用に端子Ａ４０ａ、端子Ｂ４０ｂ、端子Ｃ４０ｃ、端子Ｄ４０ｄが設けられている。
【００２９】
４１はインバータ回路で、交流電源４６の電圧を整流し、それを室外制御部４０の指令に応じて所定周波数の交流電圧に変換し、圧縮機モータ４７に駆動出力として供給する。
【００３０】
記憶手段４２は不揮発性のＲＡＭなどで構成され、表示部４３は液晶による文字表示を可能としている。
【００３１】
室内ユニットＡ〜Ｄ（２２〜２５）（室内ユニットＢ〜Ｄ（２３〜２５）は図示せず）のそれぞれはマイクロコンピュータおよびその周辺回路からなる室内制御部５０を備えている。
【００３２】
これら室内制御部５０に、リモートコントロール式の運転操作部５１（以後リモコン５１と呼ぶ）、室内の空気温度を検知する吸込温度センサー３１、室内熱交換器の内部を流れる冷媒の温度を検知する配管温度センサー３２および室内ファン３３を駆動する室内ファンモータ５２がそれぞれ接続されている。なおリモコン５１上には運転ＳＷ（図示せず）が設けられている。
【００３３】
そして、各ユニット制御部５０は、次の手段を有している。
【００３４】
１）リモコン５１の操作に基づき、運転条件等の指令信号を室外ユニット２１に送信する手段。
【００３５】
２）リモコン５１で設定された室内設定温度と吸込温度センサー３１による検知温度との差を室内空調負荷として求める手段。
【００３６】
３）前記室内空調負荷を室外ユニット２１に送信する手段。
【００３７】
４）配管温度センサー３２による検知温度を室外ユニット２１に送信する手段。
【００３８】
５）診断運転モード設定時に、室外ユニット２１からの運転条件等の指令信号を受信する手段。
【００３９】
６）室外ユニット２１からの診断運転モード信号を受けて室内ファン３３を駆動する室内ファンモータ５２を運転させる手段。
【００４０】
また、室外制御部４０は、次のような機能を有する手段を有している。
【００４１】
１）各室内ユニットＡ〜Ｄ（２２〜２５）からの室内空調負荷を受けて圧縮機１１の運転周波数を計算する手段と各膨張弁１６の開度を制御する手段。
【００４２】
２）各室内ユニットＡ〜Ｄ（２２〜２５）からの運転条件等の指令信号および前記圧縮機１１の運転周波数に基づいて４方弁１２を切換制御する手段、主電動膨張弁１５の開度を制御する手段、また圧縮機１１の運転周波数を制御する手段。
【００４３】
３）運転停止状態において運転モード設定切換ＳＷ４４が工場出荷時（＝初期値）の通常運転モードから診断運転モード側に設定されると診断運転モードとなり、室外ユニット２１を運転し主電動膨張弁１５を所定の開度で開き、また各室内ユニットＡ〜Ｄ（２２〜２５）用の電動膨張弁１６を端子Ａ４０ａから順番に所定の開度開き各室内ユニットＡ〜Ｄ（２２〜２５）用に順番に冷媒を流すとともに記憶手段４２の診断結果アドレスＴに「０」を記憶する手段。
【００４４】
４）診断運転モード設定時に動作している各室内ユニットＡ〜Ｄ（２２〜２５）用の電動膨張弁１６に対応する室外制御部４０の室内ユニット用の端子に接続されている室内ユニットに診断運転モード信号を送信する手段。
【００４５】
５）診断運転モード設定時に各室内ユニットＡ〜Ｄ（２２〜２５）用の電動膨張弁１６に対応する室外制御部４０の室内ユニット用の端子に接続されている室内ユニットから送られる配管温度センサー３２による配管温度の検知温度信号を受けて電動膨張弁１６が開く前後の時間経過で配管温度に変化あれば、当該室内ユニットの配線と配管とが正常であると判断し記憶手段４２の当該ユニット用診断結果アドレスＵに「２」を、また配管温度に変化がなければ異常と判断し「１」を記憶する手段
６）診断運転モード設定時に各室内ユニットＡ〜Ｄ（２２〜２５）を診断した結果、すべての室内ユニットＡ〜Ｄ（２２〜２５）用の配線と配管とが正常であれば（Ｕがすべて「２」）記憶手段４２の診断結果アドレスＴに「２」を、また、どれかの室内ユニットに異常があれば「１」を記憶する手段。
【００４６】
７）通常運転モードで運転を開始するときに記憶手段４２の診断結果アドレスＴの値が「２」であれば運転を開始するがＴの値が「０」または「１」の場合は運転を開始させない手段。
【００４７】
８）通常運転モードで運転を開始するときに記憶手段４２のアドレスＴの値が「２」であれば運転を開始するが、Ｔの値が「０」または「１」の場合、運転は開始するが表示部４３に不具合内容を表示する手段。
【００４８】
９）ポンプダウンＳＷ４５を操作したときにポンプダウン運転を開始するとともに記憶手段４２の診断結果アドレスＴに「０」を記憶する手段。
【００４９】
つぎに、上記の構成において図１の冷凍サイクル図、図２の機能ブロック図および図３のフローチャートを参照にして作用を説明する。
【００５０】
各室内ユニットＡ〜Ｄ（２２〜２５）、室外ユニット２１の設置、配線や配管などの設置工事終了時に室外ユニット２１の運転モード設定切換ＳＷ４４を工場出荷状態の通常運転モードから診断運転モードに切り替えると、診断運転が開始される。また同時に記憶手段４２の診断結果アドレスＴに「０」が記憶される。
【００５１】
診断運転では圧縮機１１が運転を開始し、主電動膨張弁１５が所定の開度まで開くとともに、まず室内ユニットＡ２２用の膨張弁１６が所定の開度まで開き、その膨張弁１６が設けられた液側支管１４ａに接続された室内ユニットＡ２２に冷媒が流れる。
【００５２】
同時に、動作している室内ユニットＡ２２用の電動膨張弁１６に対応する室外制御部４０の室内ユニットＡ２２用の端子Ａ４０ａに接続されている室内ユニットＡ２２に診断運転モード信号を送信する。ここで圧縮機１１の運転開始は診断運転モード信号を送信してから５秒後としている。
【００５３】
診断運転モード信号を受けた室内ユニットＡ２２の制御部５０は、室内ファンモータ５２を駆動して室内ファン３３を回転させるとともに室内熱交換器３０ａの内部を流れる冷媒の温度を配管温度センサー３２で検知し、その検知結果を室外ユニット２１の室外制御部４０に送信する。ここで冷媒温度の送信は診断運転モード信号を受け取った時は直後に、またそれ以降は１０秒毎としている。
【００５４】
室外制御部４０は前記配管温度センサー３２の検知信号を受け取り、１回目の値とそれ以降の値とを比較し５Ｋ以上の変化があれば当該室内ユニット（上記の場合、室内ユニットＡ２２）に冷媒が流れていると判断し、記憶手段４２の当該室内ユニット用診断結果アドレスＵ１に「２」を、また温度に変化がなければ異常と判断し「１」を記憶する。
【００５５】
室内ユニットＡ２２用の膨張弁１６が所定の開度開いてから７分後に室内ユニットＢ２３用の電動膨張弁１６を所定の開度開くとともに室内ユニットＡ２２用の電動膨張弁１６を閉じる。また同時に、動作している室内ユニットＢ２３用の電動膨張弁１６に対応する室外制御部４０の室内ユニットＢ２３用の端子Ｂ４０ｂに接続されている室内ユニットＢ２３に診断運転モード信号を送信する。ここで電動膨張弁Ｂが開くのは診断運転モード信号を送信してから５秒後としている。
【００５６】
診断運転モード信号を受けた室内ユニットＢ２３の室内制御部５０は最初に診断された室内ユニットＡ２２と同じ制御をする。また室外ユニット２１の室外制御部４０も最初の室内ユニットＡ２２と同じ制御をする。
【００５７】
このようにして４台すべての室内ユニットに、順次冷媒を流し各室内ユニットの診断結果用アドレスに記憶が終了し、すべての室内ユニットの配線と配管とが正常であれば（Ｕ１〜Ｕ４がすべて２）記憶手段４２の診断結果アドレスＴに「２」を、どれかの室内ユニットに異常があればＴに「１」を記憶する。その後圧縮機１１の運転を停止する。
【００５８】
次に、運転モード設定切換ＳＷ４４を通常運転モードに戻し、リモコン５１の運転ＳＷを操作して運転を開始する。
【００５９】
各室内ユニット内の室内制御部５０は、リモコン５１の操作に基づく運転条件等の指令信号と、リモコン５１で設定される室内設定温度と吸込温度センサー３１による検知温度との差を室内空調負荷として求め、室内空調負荷信号を室外ユニットＲ２１に送信する。
【００６０】
室外制御部４０は室内制御部５０からの運転条件等の指令信号を受けて、まず記憶手段４２の診断結果アドレスＴの値を確認する。Ｔの値が「０」または「１」の場合は運転を開始しない。Ｔの値が「２」の場合は各室内ユニットからの室内空調負荷を受けて圧縮機１１の運転周波数を計算し、また４方弁１２を切換制御、主電動膨張弁１５の開度を制御し各室内ユニット用の膨張弁１６の開度を制御し、そして前記圧縮機１１の運転周波数で運転を開始する。
【００６１】
前述の例ではＴの値が「０」、「１」の場合は運転を開始しないとしたが、とりあえず運転を開始し、表示部４３に、「０」の場合は診断運転が終わっていない旨を、「１」の場合は診断運転は終わったが配線と配管とに不整合がある旨を表示するようにしても良い。
【００６２】
通常運転モードで正常に運転を開始している状態で運転を停止し、運転モード設定切換ＳＷ４４を再度、通常運転モードから診断運転モードに切り替えると、記憶手段４２の診断結果アドレスＴに「０」を記憶する。
【００６３】
また、運転停止状態でポンプダウン運転ＳＷ４５を操作すると、ポンプダウン運転を始めるとともに記憶手段４２の診断結果アドレスＴに「０」を記憶するようにする。このようにすることで、設置後の室内ユニットの変更や追加、またシステム全体の他の場所への移設後に診断運転を実施しないで通常運転を開始しても（この時、運転モード設定切換ＳＷ４４は通常運転モードのままである）異常を表示することができる。
【００６４】
また、本実施例では、マルチエアコンの据え付け作業で最も起こりやすい誤配線・誤配管を診断する運転を例にとって説明したが、診断運転は誤配線・誤配管チェック運転だけでなく、診断運転モード設定手段を操作することで予め決められているモード（圧縮機の運転周波数や、内外ファンの回転数など）で強制運転させ、予め決められていた基準値からの偏差をチェックしてマルチシステムが正常な運転をしているか、または正常でない運転なのかを判断する診断運転などにも応用できるものである。
【００６５】
また、上記実施例では、マルチエアコンについて述べたが、本発明は、マルチエアコンに限定されるものでなく室外ユニットと室内ユニットとが一対のシングルエアコンにおいても応用できるとともに、同様の効果を発揮する事は言うまでもない。
【図面の簡単な説明】
【００６６】
【図１】本発明の第１の実施例を示す空気調和機の冷凍サイクル図
【図２】同空気調和機の制御回路の構成を示す機能ブロック図
【図３】同空気調和機の制御回路の作用を説明するためのフローチャート
【図４】従来の空気調和機の構成図
【符号の説明】
【００６７】
１１    圧縮機
１３    室外熱交換器
２０    室外ファン（送風機）
２１    室外ユニット
２２    室内ユニットＡ
２３    室内ユニットＢ
２４    室内ユニットＣ
２５    室内ユニットＤ
３０ａ、３０ｂ、３０ｃ、３０ｄ    室内熱交換器
３３    室内ファン（送風機）
４０    室外制御部
４２    記憶手段
４３    表示部
４４    モード設定切換ＳＷ（モード切換手段）
４５    ポンプダウンＳＷ
５０    室内制御部
５１    リモコン
５２    室内ファンモータ（送風機）
【図１】
2005049001.tif 000003
【図２】
2005049001.tif 000004
【図３】
2005049001.tif 000005
【図４】
2005049001.tif 000006